(57)【要約】【課題】水平方向の強度が高められる収納棚、および、これを備える収納システムを提供する。【解決手段】収納棚１０は一対の縦枠２０と、一対の縦枠２０の間に配置される基礎棚板４０と、一対の縦枠２０および基礎棚板４０の一方に設けられる凹部２１と、一対の縦枠２０および基礎棚板４０の他方に設けられ、凹部２１に挿入される凸部４２とを備える。【選択図】図６
2020081609.tif 000002
【特許請求の範囲】
【請求項１】
一対の縦枠と、
前記一対の縦枠の間に配置される基礎棚板と、
前記一対の縦枠および前記基礎棚板の一方に設けられる凹部と、
前記一対の縦枠および前記基礎棚板の他方に設けられ、前記凹部に挿入される凸部とを備える
収納棚。
【請求項２】
前記一対の縦枠に設けられる前記凹部または前記凸部は前記一対の縦枠の長手方向に沿って設けられる
請求項１に記載の収納棚。
【請求項３】
前記一対の縦枠の長手方向に沿って配置される複数の前記基礎棚板を含み、
前記複数の基礎棚板の間に配置され、前記複数の基礎棚板と接続される仕切板をさらに備える
請求項１または２に記載の収納棚。
【請求項４】
前記一対の縦枠は前記凹部を含み、
前記仕切板の少なくとも一部は前記凹部に配置される
請求項３に記載の収納棚。
【請求項５】
請求項１〜４のいずれか一項に記載の収納棚と、
前記一対の縦枠、天井、および、壁の少なくとも１つに支持され、前記一対の縦枠から取り外された前記基礎棚板を収納可能である収納部とを備える
収納システム。
【発明の詳細な説明】
【技術分野】
【０００１】
本発明は収納棚、および、これを備える収納システムに関する。
【背景技術】
【０００２】
棚板および縦枠を備える収納棚が知られている。その一例である特許文献１に記載の組立式家具(１)は棚板(２)、および、棚板(２)の長手方向の端部を挟むように設けられる複数の側板(４)を備える。
【先行技術文献】
【特許文献】
【０００３】
【特許文献１】実用新案登録第３００１１９１号公報
【発明の概要】
【発明が解決しようとする課題】
【０００４】
特許文献１では、組立式家具(１)の水平方向の強度については特に言及していない。
【課題を解決するための手段】
【０００５】
(１)本発明に関する収納棚は一対の縦枠と、前記一対の縦枠の間に配置される基礎棚板と、前記一対の縦枠および前記基礎棚板の一方に設けられる凹部と、前記一対の縦枠および前記基礎棚板の他方に設けられ、前記凹部に挿入される凸部とを備える。
上記収納棚によれば、凸部が凹部に挿入されることによって、一対の縦枠の間において、基礎棚板が一対の縦枠と接続される。基礎棚板と一対の縦枠とが接続された状態では、一対の縦枠に対する基礎棚板の水平方向の移動が規制される。このため、収納棚の水平方向の強度が高められる。
【０００６】
(２)好ましい例では(１)に記載の収納棚において、前記一対の縦枠に設けられる前記凹部または前記凸部は前記一対の縦枠の長手方向に沿って設けられる。
一対の縦枠の長手方向の任意の位置に基礎棚板を配置できるため、基礎棚板の配置の自由度が高められる。
【０００７】
(３)好ましい例では(１)または(２)に記載の収納棚において、前記一対の縦枠の長手方向に沿って配置される複数の前記基礎棚板を含み、前記複数の基礎棚板の間に配置され、前記複数の基礎棚板と接続される仕切板をさらに備える。
仕切板によって接続される２枚の基礎棚板のうちの相対的に上側の基礎棚板は仕切板によって支持される。このため、基礎棚板の位置が安定する。
【０００８】
(４)好ましい例では(３)に記載の収納棚において、前記一対の縦枠は前記凹部を含み、前記仕切板の少なくとも一部は前記凹部に配置される。
このため、複数の基礎棚板の間に広いスペースが設けられる。
【０００９】
(５)本発明に関する収納システムは(１)〜(４)のいずれか一項に記載の収納棚と、前記一対の縦枠、天井、および、壁の少なくとも１つに支持され、前記一対の縦枠から取り外された前記基礎棚板を収納可能である収納部とを備える。
このため、一対の縦枠から取り外された基礎棚板を容易に管理できる。
【発明の効果】
【００１０】
本発明に関する収納棚および収納システムによれば、水平方向の強度が高められる。
【図面の簡単な説明】
【００１１】
【図１】実施形態の収納システムの第１形態の正面図。
【図２】図１の収納システムの第２形態の正面図。
【図３】図１のＤ３−Ｄ３線に沿う断面図。
【図４】図１の収納部に収納される間仕切収納部材等の斜視図。
【図５】図４の基礎棚板の斜視図。
【図６】図３のＤ６−Ｄ６線に沿う断面図。
【図７】図２の間仕切収納システムの使用方法の一例を示す断面図。
【図８】図７の間仕切収納システムの使用方法の一例を示す断面図。
【発明を実施するための形態】
【００１２】
(実施形態)
図１に示される収納システム１は建築物２００の屋内、または、屋外の床、壁、天井等を有する場所に設置される。建築物２００の一例は個別住宅、集合住宅、蔵、納屋、および、車庫である。収納システム１が建築物２００に設けられる室２１０の中間部に設置される場合、間仕切収納の機能によって室２１０が区画され、さらには、間仕切収納の壁厚を利用した収納の機能を利用できる。収納システム１が建築物２００に設けられる室２１０の壁際に設置される場合、間仕切収納の壁厚を利用した収納の機能のみを利用できる。室２１０の一例はリビング、ダイニング、リビングダイニング、寝室、応接室、書斎、玄関、廊下、階段室、トイレ、洗面所、脱衣所、浴室、物置、および、納戸である。
【００１３】
近年では、ユーザの生活スタイルの変化に応じて室２１０の利用形態を多様に変更できることが望まれている。ユーザの生活スタイルの変化の一例はユーザの家族構成の変化である。収納システム１は室２１０の利用形態を多様に変更できるように構成されている。収納システム１の形態は室２１０の利用形態に応じてユーザに選択される第１形態(図１参照)、および、第２形態(図２参照)を含む。第１形態は室２１０を第１空間３１０および第２空間３２０(いずれも図３参照)に区画する形態である。第２形態は室２１０を区画しない形態である。
【００１４】
図１に示されるように、収納システム１を構成する主な要素は収納棚１０および収納部１１０である。収納棚１０は水平方向ＸＡ(図３参照)の強度が高められるように構成される。水平方向ＸＡは収納棚１０の側面視において、一対の縦枠２０の長手方向と直交する方向、換言すれば、基礎棚板４０の短手方向に沿う方向である。
【００１５】
収納棚１０は一対の縦枠２０および間仕切収納部材３０を備える。一対の縦枠２０は収納部１１０を支持する。一対の縦枠２０は建築物２００の壁２２０に固定される。一対の縦枠２０を構成する材料は任意に選択できる。一例では、一対の縦枠２０を構成する材料は木である。一対の縦枠２０には、間仕切収納部材３０のうちの基礎棚板４０の凸部４２(図３参照)がはめ込まれる凹部２１(図３参照)が設けられる。凹部２１は一対の縦枠２０の長手方向に沿って設けられる。一対の縦枠２０の長手方向の任意の位置に基礎棚板４０を配置できるため、基礎棚板４０の配置の自由度が高められる。一対の縦枠２０において、凹部２１が設けられる範囲は任意に選択できる。一例では、凹部２１は一対の縦枠２０の長手方向の全体にわたり設けられる。
【００１６】
間仕切収納部材３０は収納システム１が第１形態の場合に一対の縦枠２０、収納部１１０、および、室２１０の床２３０によって囲まれる開口部４００に配置される。開口部４００は収納棚１０の正面に設けられる第１開口部４１０、および、収納棚１０の背面に設けられる第２開口部４２０(いずれも図３参照)を含む。間仕切収納部材３０を構成する材料は任意に選択できる。好ましい例では、間仕切収納部材３０はユーザが容易に持ち運べるように軽量な材料によって構成される。その一例は木である。間仕切収納部材３０の種類は多種多様である。一例では、間仕切収納部材３０は複数の基礎棚板４０、複数のケンドン式の建具５０(以下「建具５０」という)、複数の非開口パネル６０、複数の引出ユニット７０、複数の仕切板８０、および、複数の小棚板９０を含む。
【００１７】
複数の基礎棚板４０は一対の縦枠２０に接続される。複数の基礎棚板４０は一対の縦枠２０の長手方向に沿って配置される。図５に示されるように、基礎棚板４０は支持部４１、凸部４２、および、複数の溝４３を備える。支持部４１は建具５０、非開口パネル６０、引出ユニット７０、および、仕切板８０を支持する。凸部４２は支持部４１の長手方向の端面４１Ａから突出する。凸部４２は一対の縦枠２０の凹部２１(図３参照)に挿入される。このため、縦枠２０と基礎棚板４０との位置決めを容易に実施できる。
【００１８】
図６に示されるように、凸部４２は一対の側面４２Ａ、および、先端面４２Ｂを含む。凸部４２が凹部２１に挿入された状態では、側面４２Ａは凹部２１の側面２１Ａと接触する。このため、一対の縦枠２０に対する基礎棚板４０の短手方向の移動が規制される。凸部４２が凹部２１に挿入された状態では、先端面４２Ｂは凹部２１の底面２１Ｂと接触する。このため、一対の縦枠２０に対する基礎棚板４０の長手方向の移動が規制される。
【００１９】
複数の溝４３には、図１に示される建具５０のフレーム５０Ａ、非開口パネル６０、および、引出ユニット７０のフレーム７２がはめ込まれる。基礎棚板４０に建具５０、非開口パネル６０、および、引出ユニット７０のフレーム７２を取り付けることができるため、利便性が高められる。図５に示されるように、複数の溝４３は支持部４１の長手方向に沿って設けられる。複数の溝４３は建具５０、非開口パネル６０、および、引出ユニット７０が取り付けられる位置に設けられる。基礎棚板４０に設けられる溝４３の数は任意である。一例では、１枚の基礎棚板４０には、４つの溝４３(図６参照)が設けられる。建具５０、非開口パネル６０、および、引出ユニット７０が取り付けられない位置では、溝４３を省略してもよい。
【００２０】
建具５０は基礎棚板４０および小棚板９０に置かれた物体を出し入れするために利用される。図１に示されるように、建具５０はフレーム５０Ａ、フレーム５０Ａに取り付けられる建具本体５０Ｂ、および、建具本体５０Ｂに取り付けられる取手５４を備える。フレーム５０Ａはケンドン式に関する構造が同一である。ケンドン式に関する構造とは、フレーム５０Ａのうちの溝４３にはめ込まれる部分に関する構造である。このため、収納システム１の構成を簡素化できる。取手５４は建具本体５０Ｂに着脱可能である。取手５４は建具本体５０Ｂに設けられる穴５０Ｃ(図４参照)に取り付けられる。
【００２１】
建具５０の種類は複数である。一例では、建具５０は第１建具５１、第２建具５２、および、第３建具５３を含む。第１建具５１、第２建具５２、および、第３建具５３は建具本体５０Ｂの種類が互いに異なる。建具本体５０Ｂは例えば、戸である。戸の種類は例えば、両開きの開き戸、片引きの引戸、引違の引戸、引分の引戸、片引きの吊戸、引違の吊戸、引分の吊戸、上開き戸、下開き戸、および、折戸等である。図４等に示される例では、第１建具５１の建具本体５０Ｂは上開き戸である。第２建具５２の建具本体５０Ｂは両開きの開き戸である。第３建具５３の建具本体５０Ｂは引違の引戸である。
【００２２】
フレーム５０Ａと建具本体５０Ｂとの結合手段は建具本体５０Ｂの種類に応じて任意に選択可能である。建具本体５０Ｂが例えば、開き戸である場合、フレーム５０Ａと建具本体５０Ｂとの結合手段はヒンジである。建具本体５０Ｂが例えば、引き戸である場合、フレーム５０Ａと建具本体５０Ｂとの結合手段はフレーム５０Ａに設けられ、建具本体５０Ｂが移動可能に構成される溝である。
【００２３】
非開口パネル６０は収納システム１が第１形態の場合に溝４３にはめ込まれることによって、第１開口部４１０および第２開口部４２０の一方から他方を視認できないように開口部４００を遮蔽する。収納システム１を間仕切壁として利用できるため、利便性が高められる。非開口パネル６０の溝４３へのはめ込み方式はケンドン式である。このため、非開口パネル６０を容易に設置できる。
【００２４】
引出ユニット７０は基礎棚板４０に載せられる。引出ユニット７０は物品を収納可能であるユニット本体７１、ユニット本体７１が一対の縦枠２０から飛び出すことを抑制するフレーム７２、および、ユニット本体７１に取り付けられる取手７３を備える。フレーム７２は基礎棚板４０の溝４３にはめ込まれる。フレーム７２の溝４３へのはめ込み方式はケンドン式である。このため、フレーム７２を容易に設置できる。取手７３はユニット本体７１に着脱可能である。取手７３はユニット本体７１に設けられる穴７１Ａ(図４参照)に取り付けられる。
【００２５】
図３に示される複数の仕切板８０は一対の縦枠２０の長手方向に並べられた複数の基礎棚板４０の間の領域を区画する。複数の仕切板８０にはそれぞれ連結ダボ１００Ｂ(図８参照)が取り付けられる。連結ダボ１００Ｂが基礎棚板４０の支持部４１に設けられる穴４１Ｂ(図５参照)に挿入されることによって、基礎棚板４０と仕切板８０とが連結される。仕切板８０によって接続される２枚の基礎棚板４０のうちの相対的に上側の基礎棚板４０は仕切板８０によって支持される。このため、基礎棚板４０の位置が安定する。複数の仕切板８０は基礎棚板４０の長手方向に沿って所定の間隔をあけて配置される。複数の仕切板８０のうちの基礎棚板４０の凸部４２と連結される仕切板８０は一対の縦枠２０の凹部２１に配置される。このため、複数の基礎棚板４０の間に広いスペースが設けられる。
【００２６】
複数の小棚板９０は基礎棚板４０の長手方向に沿って並べられた仕切板８０のうちの隣り合う仕切板８０の間の領域を区画する。小棚板９０は仕切板８０に取り付けられる支持ダボ１００Ａ(図３参照)に支持される。
【００２７】
図３に示される収納部１１０は室２１０の壁２２０および天井２４０に固定される。収納部１１０は一対の縦枠２０と天井２４０との間に設けられ、一対の縦枠２０の端部に支持される。換言すれば、収納部１１０は一対の縦枠２０の上方に設置される。このため、収納システム１が第２形態のとき、一対の縦枠２０の間をユーザが容易に通過できる。収納部１１０は第２形態の収納システム１において、間仕切収納部材３０を収納できるように構成された箱である。収納部１１０を構成する主な要素は一対の側壁１１１(図１参照)、上壁１１２、底壁１１３、背壁１１４、補強部１１５、および、扉１１６である。間仕切収納部材３０を収納する収納空間１１０Ａを形成する箱が構成されるように、各側壁１１１、上壁１１２、底壁１１３、背壁１１４、および、補強部１１５が結合手段により結合されている。結合手段の一例はねじ、接着剤、および、凹凸により構成される嵌合構造である。各壁１１１〜１１４により構成される箱の開口部１１０Ｂの一部を閉鎖するように、補強部１１５が底壁１１３に連結されている。このため、収納部１１０のうちの扉１１６側についても剛性が高められる。開口部１１０Ｂを開閉できるように補強部１１５に扉１１６が連結されている。扉１１６の種類は任意に選択可能である。図３等に示される例では、扉１１６は例えば下開き扉である。扉１１６が開口部１１０Ｂを開放している状態において扉１１６が自重で閉じないため、開口部１１０Ｂを介して間仕切収納部材３０を容易に出し入れできる。補強部１１５と扉１１６とを連結する手段の一例はヒンジである。上壁１１２は天井２４０の桟、合板、または、梁等(いずれも図示略)に任意の結合手段により結合されている。
【００２８】
収納部１１０の容積は任意に選択できる。好ましい例では、収納部１１０の容積は間仕切収納部材３０の全体の体積に基づいて決められる。このため、第２形態において、間仕切収納部材３０を容易に管理できる。一例では、収納部１１０の容積は間仕切収納部材３０の全体が収納できるように決められる。別の例では、収納部１１０の容積に応じて間仕切収納部材３０の全体の体積が調整される。収納部１１０における間仕切収納部材３０の収納方法は任意に選択できる。一例では、底壁１１３に複数の基礎棚板４０が重ねて収納される。複数の基礎棚板４０の上には、図４に示される建具５０、非開口パネル６０、引出ユニット７０、仕切板８０、小棚板９０、および、その他の部品等が載せられる。収納部１１０に収納された基礎棚板４０が収納部１１０の剛性に寄与するため、収納部１１０の剛性が一層高められる。好ましい例では、建具５０、非開口パネル６０、引出ユニット７０、仕切板８０、小棚板９０、および、その他の部品等はそれぞれ、専用のボックス３１に収納された状態で基礎棚板４０に載せられる。このため、収納部１１０に収納可能である建具５０、非開口パネル６０、引出ユニット７０、仕切板８０、小棚板９０、および、その他の部品等の種類および数を容易に把握できる。なお、その他の部品の一例は取手５４、７３、支持ダボ１００Ａ、連結ダボ１００Ｂ、および、収納システム１の取扱説明書１１である。
【００２９】
収納システム１の使用方法の一例について説明する。
収納システム１の形態を第２形態から第１形態に変更する場合、収納部１１０に収納されている間仕切収納部材３０が収納部１１０から取り出される。次に、図７に示されるように、収納システム１の高さ方向において最も下方に配置される基礎棚板４０の凸部４２が一対の縦枠２０の凹部２１に挿入される。以降は、第１工程と第２工程とが繰り返し実施される。第１工程は複数の仕切板８０に取り付けられた連結ダボ１００Ｂを基礎棚板４０の穴４１Ｂに挿入することによって、複数の仕切板８０と基礎棚板４０とを連結する工程である。第２工程は、図８に示されるように、基礎棚板４０と連結されている複数の仕切板８０の連結ダボ１００Ｂと別の基礎棚板４０とが連結されるように、かつ、基礎棚板４０の凸部４２が一対の縦枠２０の凹部２１に挿入されるように基礎棚板４０を配置する工程である。第１工程および第２工程は収納システム１の高さ方向において最も上方に配置される基礎棚板４０の配置が完了するまで繰り返し実施される。その後、ユーザの好みに応じて、建具５０、非開口パネル６０、引出ユニット７０、および、小棚板９０が配置される。
【００３０】
収納システム１の作用および効果について説明する。
基礎棚板４０の凸部４２が一対の縦枠２０の凹部２１に挿入されることによって、一対の縦枠２０の間において、基礎棚板４０が一対の縦枠２０と接続される。基礎棚板４０と一対の縦枠２０とが接続された状態では、一対の縦枠２０に対する基礎棚板４０の水平方向ＸＡの移動が規制される。このため、収納棚１０の水平方向ＸＡの強度が高められる。間仕切収納の機能が不要である場合、換言すれば、第２形態の場合に間仕切収納部材３０を収納部１１０に収納できるため、一対の縦枠２０の間に広いスペースが確保される。このため、広い空間をユーザに提供できる。建築物２００の施工において、間仕切の位置を示す墨出しが不要であるため、建築物２００を容易に施工できる。
【００３１】
(変形例)
上記実施形態は本発明に関する収納棚および収納システムが取り得る形態の例示であり、その形態を制限することを意図していない。本発明に関する収納棚および収納システムは実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００３２】
・収納棚１０の構成は任意に変更可能である。第１変形例の収納システム１の収納棚１０は基礎棚板４０に設けられる凹部と、一対の縦枠２０に設けられ、凹部に挿入される凸部とを備える。第１変形例の場合、一対の縦枠２０の凸部が基礎棚板４０の凹部に挿入されることによって、一対の縦枠２０の間において、基礎棚板４０が一対の縦枠２０と接続される。基礎棚板４０と一対の縦枠２０とが接続された状態では、一対の縦枠２０に対する基礎棚板４０の水平方向ＸＡの移動が規制される。このため、収納棚１０の水平方向ＸＡの強度が高められる。第２変形例の収納棚１０は例えば、机等に設置できる小形の箱である。第２変形例の場合、収納棚１０は室２１０を区画する機能を有さない。第２変形例の場合、一対の縦枠２０は建築物２００に固定されない。
【００３３】
・収納システム１の構成は任意に変更可能である。変形例の収納システム１では、収納部１１０は収納棚１０から離れた場所に設置される、または、収納部１１０が省略される。収納部１１０が省略される場合、第２形態において間仕切収納部材３０は建築物２００に一般的に設けられる収納空間に収納される。建築物２００に一般的に設けられる収納空間の一例は押入れおよびクローゼットである。この変形例の収納システム１を構成する主な要素は一対の縦枠２０、および、間仕切収納部材３０である。なお、この変形例では、間仕切収納部材３０のうちの基礎棚板４０以外の少なくとも１つを省略できる。
【符号の説明】
【００３４】
１    ：収納システム
１０  ：収納棚
２０  ：縦枠
２１  ：凹部
４０  ：基礎棚板
４２  ：凸部
８０  ：仕切板
１１０：収納部
２２０：壁
２４０：天井
【図１】
2020081609.tif 000003
【図２】
2020081609.tif 000004
【図３】
2020081609.tif 000005
【図４】
2020081609.tif 000006
【図５】
2020081609.tif 000007
【図６】
2020081609.tif 000008
【図７】
2020081609.tif 000009
【図８】
2020081609.tif 000010
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
一対の縦枠と、
前記一対の縦枠の間に配置される基礎棚板と、
前記一対の縦枠に設けられる凹部と、
前記基礎棚板に設けられ、前記凹部に挿入される凸部とを備え、
前記一対の縦枠の長手方向に沿って配置される複数の前記基礎棚板を含み、
前記複数の基礎棚板の間に配置され、前記複数の基礎棚板と接続される仕切板をさらに備え、前記仕切板の少なくとも一部は前記凹部に配置される
収納棚。
【請求項２】
前記一対の縦枠に設けられる前記凹部は前記一対の縦枠の長手方向に沿って設けられる
請求項１に記載の収納棚。
【請求項３】
一対の縦枠と、前記一対の縦枠の間に配置される基礎棚板と、前記一対の縦枠および前記基礎棚板の一方に設けられる凹部と、前記一対の縦枠および前記基礎棚板の他方に設けられ、前記凹部に挿入される凸部とを備える収納棚と、
前記一対の縦枠、天井、および、壁の少なくとも１つに支持され、前記一対の縦枠から取り外された前記基礎棚板を収納可能である収納部とを備える
収納システム。
【請求項４】
前記収納棚において前記一対の縦枠に設けられる前記凹部または前記凸部は、前記一対の縦枠の長手方向に沿って設けられる
請求項３に記載の収納システム。
【請求項５】
前記収納棚は、前記一対の縦枠の長手方向に沿って配置される複数の前記基礎棚板を含み、
前記収納棚は、前記複数の基礎棚板の間に配置され、前記複数の基礎棚板と接続される仕切板をさらに備える
請求項３または４に記載の収納システム。
【請求項６】
前記収納棚は、前記一対の縦枠は前記凹部を含み、
前記仕切板の少なくとも一部は前記凹部に配置される
請求項５に記載の収納システム。